(57)【要約】【課題】乗客コンべア設置寸法測定作業の効率及びその精度を向上する測定装置を提供。【解決手段】建屋両端縁部の一方１ａに載置され、その投光部２ａから投光された後、反射された反射光をその受光部２ｂで受光し、前記投光部２ａから反射部３ａまでの距離を測定する投光器２と、前記建屋両端縁部の他方１ｂに載置され、前記投光部２ａから受けた光を前記受光部２ｂへ反射する反射部３ａを有するターゲット３と、前記投光器２の投光部２ａ及び前記ターゲット３の反射部３ａを前記建屋端縁部１ａ及び１ｂの鉛直線上に配置する固定装置４とから構成したことを特徴とする。【選択図】図１
2005112588.tif 000002
【特許請求の範囲】
【請求項１】
長尺方向両端部が固定される建屋端縁部間の寸法を測定する乗客コンベアの設置寸法測定装置において、
前記建屋両端縁部のいずれか一方に載置され、その投光部から投光された後、反射された反射光をその受光部で受光し、投光部から反射部までの距離を測定する投光器と、前記  建屋両端縁部の他方に載置され、投光部から受けた光を前記受光部へ反射する反射部を有するターゲットと、前記投光器の投光部及び前記ターゲットの反射部を前記建屋端縁部の鉛直線上に配置する固定装置とから構成したことを特徴とする乗客コンベアの設置寸法測定装置。
【請求項２】
請求項１の記載において、前記投光器の投光部及び前記ターゲットの反射部を前記建屋端縁部の鉛直線上に配置する固定装置は、前記建屋端縁部に密着するように設置した状態で、前記投光器の投光部及び前記ターゲットの反射部が前記建屋端縁部の鉛直線上に配置されるよう形成したことを特徴とする乗客コンベアの設置寸法測定装置。
【請求項３】
請求項１の記載において、前記投光器の投光部及び前記ターゲットの反射部を前記建屋端縁部の鉛直線上に配置する固定装置は、前記建屋端縁部に密着するように設置した状態で、前記投光器の投光部及び前記ターゲットの反射部が前記建屋端縁部の水平面からそれぞれ同一の高さに配置されるよう形成したことを特徴とする乗客コンベアの設置寸法測定装置。
【請求項４】
請求項１の記載において、前記投光器の投光部及び前記ターゲットの反射部を前記建屋端縁部の鉛直線上に配置する固定装置は、前記投光器の投光部及び前記ターゲットの反射部の固定位置から長尺方向後部に延設され、この延設部が建屋床面に固定されたアンカボルトと締結することで、前記建屋端縁部からの落下を防止されるよう形成したことを特徴とする乗客コンベアの設置寸法測定装置。
【請求項５】
請求項１の記載において、前記投光器の投光部及び前記ターゲットの反射部を前記建屋端縁部の鉛直線上に配置する固定装置は、前記投光器の投光部及び前記ターゲットの反射部の固定位置から長尺方向後部に延設され、この延設部におもりを載置することで、前記建屋端縁部からの落下を防止されるよう形成したことを特徴とする乗客コンベアの設置寸法測定装置。
【発明の詳細な説明】
【技術分野】
【０００１】
乗客コンベア設置寸法測定装置に関する。
【背景技術】
【０００２】
従来において、乗客コンベア設置寸法の測定方法としては、建屋両端縁部のいずれか一方に載置され、その投光部から投光された後、反射された反射光をその受光部で受光し、投光部から反射部までの距離を測定する投光器と、前記建屋両端縁部の他方に載置され、投光部から受けた光を前記受光部へ反射する反射部を有するターゲットから構成される光学測定器を用いて行っていた。
【０００３】
そして、前記光学測定器では、測定した投光部から反射部間の距離寸法と、前記投光部の水平から投光された投光方向の傾きとから、建屋両端縁部間の水平距離及び鉛直距離を演算していた。
【０００４】
ところで、前記投光器及びターゲットは、各々三脚形状の脚部を有し、前記建屋両端縁部近傍の任意の建屋床面に設置している為、前記演算結果から、前記投光器及びターゲットから建屋端縁部までの長尺方向寸法及び前記投光器及びターゲットから前記建屋床面までの高さ寸法を別途測定し、それぞれ補正をかけることで乗客コンベア設置寸法である建屋両端縁部間の水平距離及び鉛直距離を演算していた。
【０００５】
尚、光学測定器を用いた乗客コンベアの設置寸法測定方法としては、特許文献１に示す    ような方法が開示されている。
【特許文献１】特開２００３−１７６０９０公報（３頁３０行目〜３頁３２行目、第２図）
【発明の開示】
【発明が解決しようとする課題】
【０００６】
しかし前記従来技術によれば、補正の為の寸法測定は、メジャー等を使用して行なっており、測定作業効率が悪く、また、測定誤差が発生しやすいという不都合があった。
【０００７】
本発明は上記不都合を解消する為になされたもので、その目的は乗客コンベア設置寸法測定作業の効率及びその精度を向上する測定装置を提供するにある。
【課題を解決するための手段】
【０００８】
本発明は上記目的を達成する為に、その長尺方向両端部が固定される建屋端縁部間の寸法を測定する乗客コンベアの設置寸法測定装置において、
前記建屋両端縁部のいずれか一方に載置され、その投光部から投光された後、反射された反射光をその受光部で受光し、投光部から反射部までの距離を演算する投光器と、前記建屋両端縁部の他方に載置され、投光部から受けた光を前記受光部へ反射する反射部を有するターゲットと、前記投光器の投光部及び前記ターゲットの反射部を前記建屋端縁部の鉛直線上に配置する固定装置とから構成したことを特徴とする。
【０００９】
本発明によれば、このように前記投光器の投光部及び前記ターゲットの反射部を前記建屋端縁部の鉛直線上に配置する固定装置を前記建屋端縁部に密着するように設置した場合、前記投光器の投光部及び前記ターゲットの反射部が前記建屋端縁部の鉛直線上に配置され、かつ、前記建屋端縁部の水平面からそれぞれ同一の高さに配置される為、前記投光器にて演算した数値が乗客コンベア設置寸法となる為、補正が不要となり、乗客コンベア設置寸法測定作業の効率及びその精度を向上できる。
【発明の効果】
【００１０】
本発明によれば、乗客コンベア設置寸法測定作業の効率及びその精度を向上できる。
【発明を実施するための最良の形態】
【００１１】
以下、本発明を実施するため為の最良の形態を図に基づき説明する。
【００１２】
図１は、本発明を実施する為の最良の形態である乗客コンベア設置寸法測定装置の取付け状態を示す側面図、図２は、図１の測定装置の投光器設置部の拡大図、図３は、図１の測定装置の投光器設置部において、建屋端縁部からの落下防止の別実施形態である。
【００１３】
まず、本発明の乗客コンベア設置寸法測定装置について説明する。
【００１４】
図１に示すように、本発明の乗客コンベア設置寸法測定装置は、前記建屋両端縁部の一方１ａに載置され、その投光部２ａから投光された後、反射された反射光をその受光部２ｂで受光し、前記投光部２ａから反射部３ａまでの距離を測定する投光器２と、前記建屋両端縁部の他方１ｂに載置され、前記投光部２ａから受けた光を前記受光部２ｂへ反射する反射部３ａを有するターゲット３と、前記投光器２の投光部２ａ及び前記ターゲット３の反射部３ａを前記建屋端縁部１ａ及び１ｂの鉛直線上に配置する固定装置４とから構成されている。
【００１５】
また、図１及び２において、前記投光器２の投光部２ａ及び前記ターゲット３の反射部３ａを前記建屋端縁部１ａ及び１ｂの鉛直線上に配置する固定装置４は、前記建屋端縁部１ａ及び１ｂに密着するように設置した状態で、前記投光器２の投光部２ａ及び前記ターゲット３の反射部３ａは前記建屋端縁部１ａ及び１ｂの鉛直線上に配置される。
【００１６】
さらに、上記の状態で、前記投光器２の投光部２ａ及び前記ターゲット３の反射部３ａは、前記建屋端縁部１ａ及び１ｂの水平面からそれぞれ同一の高さＢに配置される。
【００１７】
また、図２において、固定装置４は、前記投光器２の投光部２ａ及び前記ターゲット３の反射部３ａの固定位置から長尺方向後部に延設され、この延設部が建屋床面に固定されたアンカーボルト５と締結することで、前記建屋端縁部１ａ及び１ｂからの落下を防止される。
【００１８】
尚、図３に示すように、固定装置４の延設部におもり６を載置することでも、前記建屋端縁部１ａ及び１ｂからの落下を防止される。また、この場合、身を乗り出さずとも、投光器２もしくはターゲット３を配置することができるので、設置作業を安全なものとすることができる。
【００１９】
以上のように、本発明の乗客コンベア設置寸法測定装置を用いた測定方法によれば、前記投光器２の投光部２ａ及び前記ターゲット３の反射部３ａが前記建屋端縁部１ａ及び１ｂの鉛直線上に配置され、かつ、前記建屋端縁部１ａ及び１ｂの水平面からそれぞれ同一の高さＢに配置される為、前記投光器２にて演算した数値L及びHが乗客コンベア設置寸法となる為、補正が不要となり、乗客コンベア設置寸法測定作業の効率及びその精度を向上できる。
【図面の簡単な説明】
【００２０】
【図１】本発明を実施する為の最良の形態である乗客コンベア設置寸法測定装置の取付け状態を示す側面図である。
【図２】図１の測定装置の投光器設置部の拡大図である。
【図３】図１の測定装置の投光器設置部において、建屋端縁部からの落下防止の別実施形態である。
【符号の説明】
【００２１】
１ａ、ｂ  建屋両端縁部
２    投光器
２ａ  投光部
２ｂ  受光部
３    ターゲット
３ａ  反射部
４    固定装置
５    アンカーボルト
６    おもり
【図１】
2005112588.tif 000003
【図２】
2005112588.tif 000004
【図３】
2005112588.tif 000005